(57)【要約】【課題】コイル編みによる立体モチーフを提供し、重厚で多彩な変化を有し、意匠性に優れた円座，角座等の作品展開を容易ならしめる。【解決手段】太番手糸より一連に編成されたコイル編み手法による立体モチーフＡであって、複数のくさり編目を輪に丸めて、該輪を中心として放射方向に、中心糸のまわりに糸を複数回、巻き付けたコイル編み材１を互いに並列する如く連続編成してなると共に、並列された各コイル編み材１の先端側は周方向に一連の引き抜きによるくさり編目により連結され、かつ引きしめて前記放射方向に並列された各コイル編み材１を夫々、外方に凹凸を有する球帯形状に形成してなることを特徴とする。【選択図】    図１
0003106991.tif 000002
【実用新案登録請求の範囲】
【請求項１】
太番手により一連に編成されたコイル編みによる立体モチーフであって、複数のくさり編目を輪に丸めて、該輪を中心として放射方向に、中心糸のまわりに糸を複数回、巻きつけたコイル編み材を互いに並列する如く連続編成してなると共に、並列された各コイル編み材の先端側を周方向に一連の引き抜きによるくさり編目により連結し、かつ引きしめて前記放射状に並列された各コイル編み材を夫々、外方に膨出させ、周方向に凹凸を有する球帯形状に形成してなることを特徴とするコイル編みによる立体モチーフ編物構造体。
【請求項２】
中心糸のまわりに巻き付ける回数が５回であり、コイル編み材の並列数が１２個である請求項１記載のコイル編みによる立体モチーフ編物構造体。
【請求項３】
請求項１または２記載の立体モチーフを３７個用い、各モチーフを互いに一連の太番手糸により連繋して正六角形状の円座となしたパイル編みによる立体モチーフ編物構造体。
【考案の詳細な説明】
【技術分野】
【０００１】
本考案はコイル編み手法により作成した、例えば円座，角座等の構成材として用いる立体モチーフ編物構造体に係り、更に該モチーフ構造体を構成材として作成した円座，角座等の立体モチーフ編物構造体に関するものである。
【背景技術】
【０００２】
従来、円座クッション等は編織物からなる表裏両外装材の間に緩衝用詰物材を入れ、周縁を縫着することにより作成されることが一般的であった(例えば特許文献１参照)が、一方、手芸操作により編成して作成することも広く行われており、例えば六角形状の角座や、お花畑の円座，花モチーフの円座など、種々の円座，角座作品が展開されている。
(例えば非特許文献１参照)
その作品の1例を例示すると、例えば花モチーフの円座では先ず、花モチーフを指定の色で所定枚数作り、次いで小花モチーフを作って花モチーフを中心・二色に編みつなぎ、次に小花モチーフをとじつけ表側を編成する。
【０００３】
一方、輪の中に所要の長編み編目を編み入れ、増し、配色しながら裏側を編んで前記表側と合わせ、バック細編で編み、表側ととじ合わせて円座に作成されている。
【特許文献１】実用新案登録第３０３１０１１号公報
【非特許文献１】２００３年９月１０日、ハマナカ株式会社発行「ハマナカジャンボ                    ニーですぐ編める円座と角座」、特に第１６〜１７頁，２４〜２５                    頁参照
【考案の開示】
【考案が解決しようとする課題】
【０００４】
ところが、上記手芸による円座，角座等においては通常、前記のように表側を編み、種々のモチーフを編み入れると共に裏側の編成を行って表裏をとじ合わせることが一般的である。
【０００５】
本考案は上述の如き実状に対応し、特に表裏をとじ合わせず立体的モチーフだけを使用して作品を展開することを見出し、これに適合した新規なコイル編による立体モチーフを提供し、種々の色彩の組み合わせにより多彩な変化に富み、意匠性に優れたコイル編手法の作品を提供可能とすることを目的とするものである。
【課題を解決するための手段】
【０００６】
即ち、上記目的に適合する本考案の特徴は、太番手により一連に編成されたコイル編みによる立体モチーフであって、複数のくさり編目を輪に丸めて、該輪を中心として放射方向に、中心糸の周りに糸を複数回巻きつけたコイル編み材を互いに並列する如く連続編成してなると共に、並列された各コイル編み材の先端側を周方向に一連の引き抜きによるくさり編目により連結し、かつ引きしめて前記放射状に並列された各コイル編み材を夫々、外方に膨出させ、周方向に凹凸を有する球帯形状に形成せしめたことを特徴とする。
【０００７】
なお、上記構造体において中心糸のまわりに巻き付ける回数が５回であり、コイル編み材の並列数が１２個であるのが最も一般的である。
【０００８】
また、請求項３は上記立体モチーフを用いた作品の1つであり、上記立体モチーフを３７個使用し、各モチーフを一連の太番手糸により連繋一体化して正六角形状の円座となしたものである。
【考案の効果】
【０００９】
本考案立体モチーフ編物構造体はこれを構成材に用いて種々の作品を作成することができ、しかも各モチーフ構造体に夫々、異色の糸を用いることにより、作成される作品に変化に富み、多彩かつ意匠外観に優れた作品を得ることができ、更に太番手の糸を用いることにより嵩高性に富む重厚な作品が得られる利点を有している。
【考案を実施するための最良の形態】
【００１０】
以下、更に本考案立体モチーフ構造体の具体的構成例を添付図面に基づいて説明する。
【００１１】
図１は本考案に係る立体モチーフ編物構造体Ａの１例であり、一連の編成により球帯形状に作成され、外周にコイル編み材１によるコイル編みが複数、図示例では１２個が周方向に凹凸を有してみかんの袋状に並列され、球帯形状に形成されている。
【００１２】
図２〜４は上記構造体の編成態様例を示しており、図２は構造体Ａ作成時の基点となる中心部の編成、図３は外周部を形成するコイル編みの編成、図４はコイル編み編成後の各コイル編み先端の引きしめ部の編成を夫々、示している。
【００１３】
即ち、図２では先ず編針２(以後、単に針という)によりくさり編み３を図では３目編み((イ)図)、この３目のくさり編み３を(ロ)図のように輪４にする。
【００１４】
そして、次の図３の段階に移り、(イ)図の如く輪にした３目のくさり編み４より立ち上がりを針により３目５だけ編み、そして糸を例えば５回コイル状に巻いた６ところで輪の中心に針２を入れ((ハ)図参照)、糸７をかけて立ち上がり３目と同じ長さだけ引き出す((ニ)図参照)。
【００１５】
かくて、さきに５回巻いた糸６を順次、上記(ニ)図で引き出した糸７に指で１目ずつ引き出し((ホ)図参照)、５目全部を抜き出したところで針２に糸をかけて引き抜く。
【００１６】
このようにして(へ)図の如く１つのコイル編みが完成し、同様にして順次、１２編目編み終わると、図４(イ)に示す段階で１番始めの頭目８に引き抜いて輪にし、その後、続けて(ロ)図に示す如く１周頭目目８に引き抜く。
【００１７】
このとき、各コイル編みの先端を引き締めることでモチーフの形を整え、１周終わったら(ハ)図に示すように初めの引き抜きに引き抜くことにより最終的に図１に示す構造体Ａを得る。
【００１８】
この得られた構造体Ａはその後、別の構造体Ａと互いに組み合わせ、種々の形態のクッションなどを作成する構成材として利用する。
【００１９】
例えば図５は前記の立体モチーフＡを３７個用いて作成した円座Ｂである。この円座の作成は特に図示していないが、２つ目の別の構造体のモチーフを編成後、一度針を外して最初の１つ目のモチーフ構造体の引き抜き目に針を入れ、２つ目のモチーフ構造体の目を引き出して２つ目のモチーフ構造体の引き抜き目に針を入れ、上記両者の目を一緒に引き出して２つ目のモチーフ構造体を連繋し、以後、同様につないで所要の個数、即ち、作成しようとする作品、例えば円座の大きさに合わせた個数を繋いで連繋一体化された作品を作成する。
【００２０】
勿論、各立体モチーフ構造体Ａを連繋一体化するには上記手法に限らず、他の手法をもって連繋することも可能である。
【００２１】
なお、使用する糸の種類，太さなどは作品に適合すれば特に限定されないが、可及的太番手の糸であることが作品として望ましく、とりわけ円座や角座等の場合には太番手の糸を用いるのが好適である。
【００２２】
また、作成する円座Ｂとしては、上記図５の如くモチーフ構造体Ａを３７個使用し、六角形状に配置する構成が最も一般的である。
【００２３】
更に各モチーフ構造体を異色の太番手糸を用いて構成しておくことにより種々の異色糸のモチーフ構造体を組み合わせ、作品を作成することにより多彩な意匠に優れた作品を得ることができる。
【図面の簡単な説明】
【００２４】
【図１】本考案に係るモチーフ構造体の１例を示す外観図である。
【図２】(イ)，(ロ)は本考案モチーフ構造体作成の第１段階の順次作用説明図である。
【図３】(イ)〜(へ)は上記構造体作成の第２段階の順次態様を示す作用説明図である。
【図４】(イ)〜(ハ)は上記本考案構造体作成の第３段階の順次態様を示す作用説明図である。
【図５】上記モチーフ構造体をつないで作成した円座作品の概要図である。
【符号の説明】
【００２５】
Ａ：立体モチーフ構造体
Ｂ：円座
１：コイル編み材
２：針
３：くさり編み
４：輪
５：立ち上がり編目
６：コイル巻き糸
【図１】
0003106991.tif 000003
【図２】
0003106991.tif 000004
【図３】
0003106991.tif 000005
【図４】
0003106991.tif 000006
【図５】
0003106991.tif 000007